(57)【要約】  本発明は、バスバーと円筒型電池セルの電極端子との溶接時、電流損失を減らして溶解性を向上させることができるバスバーを備えたバッテリーモジュール及びこれを含むバッテリーパックを開示する。前記バッテリーモジュールは、複数の円筒型電池セルと、モジュールハウジングと、前記複数の円筒型電池セルの電極端子と接触して前記複数の円筒型電池セル同士を電気的に接続するように構成され、前記複数の円筒型電池セルの上部または下部に位置し、水平方向へ扁平なプレート形状を有し、前記プレート形状に上下方向へ穿孔された少なくとも一つ以上の接続開口が形成された本体部、及び前記接続開口の内側縁部から相異なる水平方向へ突出して延び、端部が前記複数の円筒型電池セルのいずれか一つの電極端子と電気的に接続固定された第１接続延長部及び第２接続延長部を備えたバスバーと、を含む。
2021501457.tif 000002
【特許請求の範囲】
【請求項１】
電極端子が上部及び下部に各々形成され、水平方向に配置された複数の円筒型電池セルと、
前記複数の円筒型電池セルを挿入して収容するように収容部が備えられたモジュールハウジングと、
前記複数の円筒型電池セルの電極端子と接触して前記複数の円筒型電池セル同士を電気的に接続するように構成され、前記複数の円筒型電池セルの上部または下部に位置し、水平方向へ扁平なプレート形状を有し、前記プレート形状に上下方向へ穿孔された少なくとも一つ以上の接続開口が形成された本体部と、前記接続開口の内側縁部から相異なる水平方向へ突出して延び、端部が前記複数の円筒型電池セルのうちいずれか一つの電極端子と電気的に接続固定された第１接続延長部及び第２接続延長部と、を備えたバスバーと、
を含むことを特徴とするバッテリーモジュール。
【請求項２】
前記第１接続延長部及び前記第２接続延長部の少なくとも一方が、少なくとも１回以上水平方向へ折り曲げられた折曲構造を含むことを特徴とする請求項１に記載のバッテリーモジュール。
【請求項３】
前記第１接続延長部及び前記第２接続延長部の少なくとも一方が、少なくとも１回以上水平方向へ曲げられた曲線構造を含むことを特徴とする請求項１に記載のバッテリーモジュール。
【請求項４】
前記第１接続延長部及び前記第２接続延長部の少なくとも一方には、前記電極端子の連結固定された端部の下面がバッテリーモジュールの中心を基準にして外側方向へ凹み、凹んだ下面が前記電極端子の上に載置されるように構成された端子載置構造が形成されていることを特徴とする請求項１から３のいずれか一項に記載のバッテリーモジュール。
【請求項５】
前記第１接続延長部及び前記第２接続延長部の少なくとも一方には、前記電極端子に接続した端部がバッテリーモジュールを基準にして外側方向へ折り曲げられて段差を有し、前記電極端子の上に載置されるように構成された段差構造が形成されていることを特徴とする請求項１から４のいずれか一項に記載のバッテリーモジュール。
【請求項６】
前記第１接続延長部及び前記第２接続延長部の少なくとも一つ以上には、前記接続開口の縁部と接続した部位の幅が細くなるように湾入した凹み構造が形成されていることを特徴とする請求項１から５のいずれか一項に記載のバッテリーモジュール。
【請求項７】
前記第１接続延長部及び前記第２接続延長部には、前記電極端子が位置する方向へ突出した突起が形成され、
前記第１接続延長部及び前記第２接続延長部の前記突起の上部には、溶接棒が挿入される挿入溝が形成されていることを特徴とする請求項１から６のいずれか一項に記載のバッテリーモジュール。
【請求項８】
前記バスバーは、銅または銅合金からなることを特徴とする請求項１から７のいずれか一項に記載のバッテリーモジュール。
【請求項９】
請求項１から８のいずれか一項に記載のバッテリーモジュールを少なくとも二つ以上含む、バッテリーパック。
【請求項１０】
請求項９に記載のバッテリーパックを含む、デバイス。
【発明の詳細な説明】
【技術分野】
【０００１】
本発明は、バスバーを備えたバッテリーモジュール及びこれを含むバッテリーパックに関し、より詳しくは、バスバーと円筒型電池セルの電極端子との溶接時、電流損失を減らして溶接性を向上させることができるバスバーを備えたバッテリーモジュール及びこれを含むバッテリーパックに関する。
【０００２】
本出願は、２０１８年６月１８日出願の韓国特許出願第１０−２０１８−００６９７０７号に基づく優先権を主張し、該当出願の明細書及び図面に開示された内容は、すべて本出願に組み込まれる。
【背景技術】
【０００３】
最近、ノートブックＰＣ、ビデオカメラ、スマートフォーンなどのような携帯用電子製品の需要が急増し、電気自動車、エネルギー貯蔵用蓄電池、ロボット、衛星などの開発が本格化するにつれ、反復的な充放電が可能な高性能の二次電池についての研究が盛んでいる。
【０００４】
現在、商用化した二次電池としては、ニッケルカドミウム電池、ニッケル水素電池、ニッケル亜鉛電池、リチウム二次電池などがあり、このうち、リチウム二次電池は、ニッケル系の二次電池に比べてメモリー効果がほとんど起こらず、充放電が自由で、自己放電率が非常に低くてエネルギー密度が高いなどの長所から脚光を浴びている。
【０００５】
このようなリチウム二次電池は、主にリチウム系酸化物及び炭素材をそれぞれ正極活物質及び負極活物質として用いる。リチウム二次電池は、このような正極活物質及び負極活物質がそれぞれ塗布された正極板及び負極板がセパレータを介して配置された電極組立体と、電極組立体を電解液とともに封止収納する外装材、即ち、電池ケースと、を備える。
【０００６】
一般に、リチウム二次電池は、外装材の形状によって、電極組立体が金属缶に収納されている缶型二次電池と、電極組立体がアルミニウムラミネートシートのパウチに収納されているパウチ型二次電池とに分けることができる。
【０００７】
このうち、缶型二次電池は、電極組立体が内蔵される金属缶を円筒状に製作する場合がある。このような缶型二次電池は、複数の二次電池を収容するハウジングと、複数の二次電池を電気的に接続するように構成されたバスバーと、を備えたバッテリーモジュールを構成するのに用いられ得る。
【０００８】
最近、このようなバッテリーモジュールに備えられるバスバーは、電極端子との抵抗溶接の溶接性を高めるために、電気抵抗が多少高い素材を使う場合がある。
【０００９】
しかし、このようなバスバーは、二次電池で生成された電流を外部のデバイスにまで伝達するに際し、電流損失を大きくする要素となり得、エネルギー効率を阻害する恐れがある。また、電気抵抗が高い素材であるほどに熱伝導度が低下し、このようなバスバーが適用されたバッテリーモジュールの放熱性能を低下させる原因になり得る。
【００１０】
逆に、電気抵抗が低い素材のバスバーを使う場合、抵抗溶接を用いて電極端子とバスバーとを接合するとき、抵抗熱を充分生じさせにくいため、溶接性が劣り、溶接作業時間が長くなるという問題があった。これによって、製造コストが上昇し、バッテリーモジュールの耐久性が劣るなどの問題が発生していた。
【発明の概要】
【発明が解決しようとする課題】
【００１１】
本発明は、上記問題点に鑑みてなされたものであり、バスバーと円筒型電池セルの電極端子との溶接時、電流損失を減らして溶接性を向上させることができるバスバーを備えたバッテリーモジュール及びこれを含むバッテリーパックを提供することを目的とする。
【００１２】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１３】
上記の課題を達成するため、本発明によるバッテリーモジュールは、
電極端子が上部及び下部に各々形成され、水平方向に配置された複数の円筒型電池セルと、
前記複数の円筒型電池セルを挿入して収容するように収容部が備えられたモジュールハウジングと、
前記複数の円筒型電池セルの電極端子と接触して前記複数の円筒型電池セル同士を電気的に接続するように構成され、前記複数の円筒型電池セルの上部または下部に位置し、水平方向へ扁平なプレート形状を有し、前記プレート形状に上下方向へ穿孔された少なくとも一つ以上の接続開口が形成された本体部と、前記接続開口の内側縁部から相異なる水平方向へ突出して延び、端部が前記複数の円筒型電池セルのうちいずれか一つの電極端子と電気的に接続固定された第１接続延長部及び第２接続延長部と、を備えたバスバーと、を含む。
【００１４】
また、前記第１接続延長部及び前記第２接続延長部の少なくとも一方が、少なくとも１回以上水平方向へ折り曲げられた折曲構造を含み得る。
【００１５】
さらに、前記第１接続延長部及び前記第２接続延長部の少なくとも一方が、少なくとも１回以上水平方向へ曲げられた曲線構造を含み得る。
【００１６】
そして、前記第１接続延長部及び前記第２接続延長部の少なくとも一方には、前記電極端子の連結固定された端部の下面がバッテリーモジュールの中心を基準にして外側方向へ凹み、凹んだ下面が前記電極端子の上に載置されるように構成された端子載置構造が形成され得る。
【００１７】
また、前記第１接続延長部及び前記第２接続延長部の少なくとも一方には、前記電極端子に接続した端部がバッテリーモジュールを基準にして外側方向へ折り曲げられて段差を有し、前記電極端子の上に載置されるように構成された段差構造が形成され得る。
【００１８】
また、第１接続延長部及び前記第２接続延長部の少なくとも一つ以上には、前記接続開口の縁部と接続した部位の幅が細くなるように湾入した凹み構造が形成され得る。
【００１９】
そして、前記第１接続延長部及び前記第２接続延長部には、前記電極端子が位置する方向へ突出した突起が形成され得る。
【００２０】
また、前記第１接続延長部及び前記第２接続延長部の前記突起の上部には、溶接棒が挿入される挿入溝が形成され得る。
【００２１】
さらに、前記バスバーは、銅または銅合金からなり得る。
【００２２】
また、上記の課題を達成するための本発明によるバッテリーパック、前記バッテリーモジュールを少なくとも二つ以上含み得る。
【００２３】
また、上記の課題を達成するための本発明によるデバイスは、前記バッテリーパックを含み得る。
【発明の効果】
【００２４】
本発明の一面によれば、本発明のバッテリーモジュールは、第１接続延長部及び第２接続延長部をバスバーの接続開口の内側縁部から相異なる水平方向へ突出して延びて形成することで、抵抗溶接を用いて電極端子と第１接続延長部及び第２接続延長部の端部とを接続固定する場合、電極端子と第１接続延長部及び第２接続延長部の端部との間に流れる電流量を増加させることができることから、抵抗溶接の効率性及び接合信頼度を向上させることができる。
【００２５】
また、本発明の他の実施例の一面によれば、バスバーの第１接続延長部及び第２接続延長部の接続開口の縁部と接続した部位の幅を、残りの部位よりも狭く形成する場合、細くなった幅部位における電気抵抗を高めることができ、電極端子と第１接続延長部及び第２接続延長部の端部との間に流れる電流量をより増加させることができるため、抵抗溶接の効率性及び接合信頼度を向上させることができる。
【００２６】
さらに、本発明の一面によれば、第１接続延長部及び第２接続延長部のいずれか一つ以上が、少なくとも一回以上折り曲げられた折曲構造を有する場合、接続開口の内側縁部から第１接続延長部及び第２接続延長部の各々の端部までの長さをより延長することができるため、電流の経路をより長く設定することができる。
【００２７】
そして、本発明の一面によれば、本発明のバスバーに少なくとも一回以上曲げられた曲線構造を有した第１接続延長部及び第２接続延長部を形成することで、接続開口の内側縁部から第１接続延長部及び第２接続延長部の各々の端部までの長さをより延長することができるため、電流の経路をより長く設定することができる。
【００２８】
また、本発明の一面によれば、バスバーの第１接続延長部及び第２接続延長部の少なくとも一方に端子載置構造を形成することで、第１接続延長部及び第２接続延長部と電極端子との電流の抵抗を減らすと共に、第１接続延長部及び第２接続延長部を電極端子の上に容易に位置させることができるため、製造効率をより向上させることができる。
【００２９】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００３０】
【図１】本発明の一実施例によるバッテリーモジュールを概略的に示す斜視図である。
【図２】本発明の一実施例によるバッテリーモジュールを概略的に示す分解斜視図である。
【図３】図１のバッテリーモジュールのＡ´領域の一部を概略的に示す部分平面図である。
【図４】本発明の他の実施例によるバッテリーモジュールの一部を概略的に示す部分平面図である。
【図５】本発明のさらに他の実施例によるバッテリーモジュールの一部を概略的に示す部分平面図である。
【図６】本発明のさらに他の実施例によるバッテリーモジュールの一部を概略的に示す部分平面図である。
【図７】図３のバッテリーモジュールの線Ｃ−Ｃ´に沿って見た側面の一部を概略的に示す部分側断面図である。
【図８】本発明の他の実施例によるバッテリーモジュールを切断した側面の一部を概略的に示す部分側断面図である。
【図９】本発明のさらに他の実施例によるバッテリーモジュールを切断した側面の一部を概略的に示す部分側断面図である。
【図１０】本発明の一実施例によるバッテリーパックを概略的に示す斜視図である。
【図１１】本発明の一実施例によるバッテリーパックの一部構成を概略的に示す斜視図である。
【発明を実施するための形態】
【００３１】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００３２】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３３】
図１は、本発明の一実施例によるバッテリーモジュールを概略的に示す斜視図である。そして、図２は、本発明の一実施例によるバッテリーモジュールを概略的に示す分離斜視図である。
【００３４】
図１及び図２を参照すれば、本発明のバッテリーモジュール２００は、円筒型電池セル１００、モジュールハウジング２１０及び二つのバスバー２３０、２４０を含み得る。
【００３５】
ここで、前記円筒型電池セル１００は、円筒状電池缶１２０及び円筒状電池缶１２０の内部に収容された電極組立体（図示せず）を含み得る。
【００３６】
また、円筒状電池缶１２０は、電気伝導性の高い材質からなり、例えば、円筒状電池缶１２０は、アルミニウムまたは銅であり得る。
【００３７】
さらに、円筒状電池缶１２０が上下方向へ長く立てられて構成され得る。そして、円筒状電池缶１２０は、上下方向へ延びた円筒状であり得る。さらに、円筒状電池缶１２０の上部及び下部の各々に電極端子１１０が形成され得る。具体的に、円筒状電池缶１２０の上端の扁平な円形の上面には正極端子１１１が形成され得、円筒状電池缶１２０の下端の扁平な円形の下面には負極端子１１２が形成され得る。
【００３８】
さらに、前記円筒型電池セル１００は、水平方向へ複数の列及び行に配置され得る。ここで、水平方向とは、円筒型電池セル１００を地面においたとき、地面に平行な方向を意味し、上下方向に垂直な平面上の少なくとも一方向とも言える。また、水平方向とは、図１のＸ及びＹ方向である。
【００３９】
例えば、図２に示したように、前記バッテリーモジュール２００は、前後方向（図２のＷ方向）の４個の列及び左右方向（Ｖ方向）の７行または６行に配置された複数の円筒型電池セル１００を備えている。
【００４０】
また、電極組立体（図示せず）は、正極と負極との間に分離膜を挟んだ状態でゼリーロール型に巻き取られた構造で形成され得る。前記正極（図示せず）には、正極タブが付着され、円筒状電池缶１２０の上端の正極端子１１１に接続し得る。前記負極（図示せず）には、負極タブが付着され、円筒状電池缶１２０の下端の負極端子１１２に接続し得る。
【００４１】
一方、前記モジュールハウジング２１０には、前記円筒型電池セル１００を内部に挿入して収容可能な収容部２１２Ａ、２１２Ｂが備えられ得る。具体的に、前記収容部２１２Ａ、２１２Ｂは、前記円筒型電池セル１００の外側面を囲むように形成された中空構造が複数個形成され得る。ここで、前記モジュールハウジング２１０は、電気絶縁素材を備え得る。例えば、前記電気絶縁素材は、プラスチック素材であり得る。より具体的に、前記プラスチック素材は、ポリ塩化ビニル（ＰＶＣ）であり得る。
【００４２】
また、前記モジュールハウジング２１０は、内部空間を形成するようになっており、前、後、左、右の方向に形成された第１外側壁２１０ａ、第２外側壁２１０ｂ、第３外側壁２１０ｃ及び第４外側壁２１０ｄを備え得る。
【００４３】
そして、前記モジュールハウジング２１０の第１外側壁２１０ａ、第２外側壁２１０ｂ、第３外側壁２１０ｃ及び第４外側壁２１０ｄの少なくとも一つ以上には、他の一つのバッテリーモジュール２００の配置位置をガイドするための結合突起２６１、２６２及びガイド溝２６６、２６７が形成され得る。
【００４４】
例えば、図１に示したように、前記モジュールハウジング２１０の第１外側壁２１０ａ及び第２外側壁２１０ｂの各々には、二つの結合突起２６１、２６２及び二つのガイド溝２６６、２６７が形成され得る。
【００４５】
したがって、本発明のこのような構成によれば、本発明のモジュールハウジング２１０の結合突起２６１、２６２が、他の一つのモジュールハウジング２１０の第２外側壁２１０ｂに形成されたガイド溝２６６、２６７に挿入されて締結固定されるので、一つのバッテリーモジュール２００に接続した他のバッテリーモジュール２０１（図１０）を容易に配置できるだけでなく、相互分離されにくく固定することができる。
【００４６】
また、図１及び図２を参照すれば、前記上部ケース２１０Ａは、第１突出締結部２７１を備え得、前記下部ケース２１０Ｂは、第２突出締結部２７６を備え得る。
【００４７】
具体的に、第１突出締結部２７１は、Ｆ方向から見たとき、前記上部ケース２１０Ａの第２外側壁２１０ｂの外面から後方へ突出して延びて形成され得る。また、第２突出締結部２７６は、Ｆ方向から見たとき、前記下部ケース２１０Ｂの第１外側壁２１０ａの外面で前方へ突出して延びて形成され得る。
【００４８】
ここで、前、後、左、右、上、下のように方向を示す用語は、観測者の位置や対象が置かれた形態によって変わり得る。但し、本明細書においては、説明の便宜のために、Ｆ方向から見たときを基準にして、前、後、左、右、上、下などの方向を区分して示す。
【００４９】
そして、前記第１突出締結部２７１及び前記第２突出締結部２７６には、締結ボルト２７９（図１０）が挿入されるように貫通孔２７２が形成され得る。例えば、図１に示したように、前記モジュールハウジング２１０の前記第１突出締結部２７１は、他のバッテリーモジュール２０１（図１０）の第２突出締結部２７６と締結ボルト２７９によって結合し得る。
【００５０】
ここで、前記第２突出締結部２７６の貫通孔２７２は、締結ボルト２７９が連続的に挿入されるように他のバッテリーモジュール２００の上部ケース２１０Ａの第１突出締結部２７１の貫通孔２７３と連通し得る。これによって、一つのバッテリーモジュール２００及び他の一つのバッテリーモジュール２０１（図１０）は、前記締結ボルト２７９によって第１突出締結部２７１と第２突出締結部２７６とが相互締結されながらバッテリーモジュール２００、２０１、２０２、２０３（図１０）が配列される。
【００５１】
したがって、本発明のこのような構成によれば、上部ケース２１０Ａの第１突出締結部２７１は、他のバッテリーモジュール２００の下部ケース２１０Ｂの第２突出締結部２７６とボルト結合することで、バッテリーモジュール２００の配置構造が崩れることを防止し、特に、上部に位置したバスバー２３０と下部に位置したバスバー２４０との電気的接続が切れることを防止することができる。
【００５２】
一方、前記モジュールハウジング２１０は、上部ケース２１０Ａ及び下部ケース２１０Ｂを含み得る。
【００５３】
図３は、図１のバッテリーモジュールのＡ´領域の一部を概略的に示す部分平面図である。
【００５４】
図２と共に図３を参照すれば、前記バスバー２３０は、一面が前記複数の円筒型電池セル１００の少なくとも二つ以上の円筒型電池セル１００の電極端子１１０と接触して電気的に接続し得る。即ち、前記バスバー２３０は、前記複数の円筒型電池セル１００の正極端子１１１または負極端子１１２と接触し、前記複数の円筒型電池セル１００同士を電気的に接続するように構成され得る。具体的に、前記バスバー２３０は、本体部２３１、第１接続延長部２３３及び第２接続延長部２３５を備え得る。
【００５５】
ここで、前記本体部２３１は、水平方向へ平行な形態のプレート形状を有し得る。言い換えれば、前記本体部２３１は、水平方向（ｘ方向、ｙ方向）の側面よりも相対的に広い上面及び下面を有するプレート形状を有し得る。また、前記本体部２３１は、正極端子１１１または負極端子１１２が形成された前記複数の円筒型電池セル１００の上部または下部に位置し得る。そして、前記本体部２３１は前記複数の円筒型電池セルを電気的に接続するように伝導性金属を含み得る。
【００５６】
また、前記本体部２３１には、上下方向へ穿孔された少なくとも一つ以上の接続開口Ｈ１が形成され得る。さらに、前記第１接続延長部２３３及び前記第２接続延長部２３５は、前記接続開口Ｈ１の内側縁部２３１ａから相異なる水平方向（ｘ方向、ｙ方向）へ突出して延び得る。即ち、前記第１接続延長部２３３及び前記第２接続延長部２３５は、前記接続開口Ｈ１の内部に位置するように形成され得る。
【００５７】
即ち、前記バスバー２３０の接続開口Ｈ１の縁部は、前記第１接続延長部２３３及び前記第２接続延長部２３５の各々の他端部と接続しており、前記第１接続延長部２３３及び前記第２接続延長部２３５の残りの部位は、前記本体部２３１と電気的に絶縁可能に前記接続開口Ｈ１内に位置し得る。
【００５８】
そして、前記第１接続延長部２３３及び前記第２接続延長部２３５の突出した端部は、前記複数の円筒型電池セル１００のいずれか一つの電極端子１１０と電気的に接続して固定されるように形成され得る。
【００５９】
さらに、相異なる水平方向へ突出して延びた前記第１接続延長部２３３及び前記第２接続延長部２３５は、同じ方向に隣接して突出して延びた接続延長部（図示せず）と比較する場合、前記接続開口Ｈ１の内側縁部２３１ａに接続した各々の位置間の距離Ｐ１をより遠く設定することができる。
【００６０】
これによって、本発明のバスバー２３０は、電極端子１１０と溶接が必要な前記第１接続延長部２３３及び前記第２接続延長部２３５の端部に、抵抗溶接装置の溶接棒を接続する場合、従来技術のバスバーと比較して、前記第１接続延長部２３３と前記第２接続延長部２３５との間に流れる電流の経路をより長く設定することができる。このように電流の経路が長くなるほど、抵抗溶接に際し、前記接続開口Ｈ１の縁部に沿って前記第１接続延長部２３３と前記第２接続延長部２３５との間に流れる電流量を効果的に減少させることができる。
【００６１】
したがって、本発明のこのような構成によれば、バスバー２３０の前記第１接続延長部２３３及び前記第２接続延長部２３５を前記接続開口Ｈ１の内側縁部２３１ａから相異なる水平方向へ突出延長して形成することで、抵抗溶接を用いて前記電極端子１１０と、前記第１接続延長部２３３及び前記第２接続延長部２３５の端部とを接続固定する場合、前記第１接続延長部２３３と前記第２接続延長部２３５との間に流れる電流量を効果的に減らすことができる。
【００６２】
逆に、本発明は、前記電極端子１１０と、前記第１接続延長部２３３及び前記第２接続延長部２３５の端部との間に流れる電流量を増加させることができるため、抵抗溶接の効率性及び接合信頼度を向上させることができる。特に、本発明は、バスバーが既存のニッケル金属からなるバスバーに比べて電気抵抗が低い素材からなる場合、抵抗熱が高く発生しにくくなるので、その効果がさらに増大する。
【００６３】
また、前記第１接続延長部２３３及び前記第２接続延長部２３５は、前記接続開口Ｈ１の内側縁部２３１ａの相互対応する両側部の各々から水平方向へ突出して延びて形成され得る。この際、前記第１接続延長部２３３と前記第２接続延長部２３５とは、相互直接的に接触することを避けるために所定の距離で離隔して位置し得る。
【００６４】
例えば、図３に示したように、前記第１接続延長部２３３と前記第２接続延長部２３５とは、前記接続開口Ｈ１の内側縁部２３１ａにおける相互反対位置から突出して延びて形成され得る。このような場合、前記第１接続延長部２３３と前記第２接続延長部２３５との電流の経路を最も長く設定することができ、抵抗溶接の効率性及び接合信頼度を向上させることができる効果が極大化する。
【００６５】
図４は、本発明の他の実施例によるバッテリーモジュールの一部を概略的に示す部分平面図である。
【００６６】
図４を参照すれば、本発明の他の実施例によるバスバー２３０Ｂは、前記第１接続延長部２３３Ｂ及び前記第２接続延長部２３５Ｂの前記接続開口Ｈ１の縁部と接続した部位の幅Ｔが細くなるように湾入した凹み構造Ｂ１が形成され得る。具体的に、前記バスバー２３０Ｂは、前記第１接続延長部２３３Ｂ及び前記第２接続延長部２３５Ｂに凹み構造Ｂ１が共に形成され得る。
【００６７】
例えば、図４に示したように、前記第１接続延長部２３３Ｂ及び前記第２接続延長部２３５Ｂの各々には、前記接続開口Ｈ１の縁部と接続した部位の幅Ｔが細くなるように湾入された凹み構造Ｂ１が形成され得る。
【００６８】
したがって、本発明のこのような構成によれば、前記第１接続延長部２３３Ｂ及び前記第２接続延長部２３５Ｂの前記接続開口Ｈ１の縁部と接続した部位の幅Ｔを残りの部位よりも狭く形成する場合、細くなった幅Ｔ部位の電気抵抗を高めることができ、前記電極端子１１０と、前記第１接続延長部２３３Ｂ及び前記第２接続延長部２３５Ｂの端部との間に流れる電流量をより増加させることができるため、抵抗溶接の効率性及び接合信頼度を向上させることができる。
【００６９】
図５は、本発明のさらに他の実施例によるバッテリーモジュールの一部を概略的に示す部分平面図である。
【００７０】
図５を参照すれば、図５のバスバー２３０Ｃは、前記第１接続延長部２３３Ｃ及び前記第２接続延長部２３５Ｃの少なくとも一方が少なくとも１回以上水平方向へ折り曲げられた折曲構造Ｃ１を含み得る。具体的に、前記第１接続延長部２３３Ｃ及び前記第２接続延長部２３５Ｃの各々は、水平方向へ折り曲げられた折曲構造Ｃ１を有し得る。
【００７１】
例えば、図５に示したように、前記第１接続延長部２３３Ｃ及び前記第２接続延長部２３５Ｃの各々は、電極端子１１０が位置する方向へ１回垂直に折り曲げられた折曲構造Ｃ１を有し得る。
【００７２】
したがって、本発明のこのような構成によれば、本発明の少なくとも１回以上折り曲げられた折曲構造Ｃ１を有する前記第１接続延長部２３３Ｃ及び前記第２接続延長部２３５Ｃを形成することで、前記接続開口Ｈ１の内側縁部から前記第１接続延長部２３３Ｃ及び前記第２接続延長部２３５Ｃの各々の端部までの長さをより延長することができるため、電流の経路をより長く設定することができる。
【００７３】
また、前記第１接続延長部２３３Ｃ及び前記第２接続延長部２３５Ｃの各々の折曲構造Ｃ１の端部が前記電極端子１１０と接合する場合、バッテリーモジュール２００に加えられる外部衝撃による振動によって前記第１接続延長部２３３Ｃ及び前記第２接続延長部２３５Ｃにクラックが発生するか、破断する危険性を減らすことができる。
【００７４】
これは、振動による応力や疲労が前記接続開口Ｈ１の縁部２３１ａの前記第１接続延長部２３３Ｃ及び前記第２接続延長部２３５Ｃの連結部位に集中するよりは、一次的に前記第１接続延長部２３３Ｃ及び前記第２接続延長部２３５Ｃの折曲構造Ｃ１で吸収されることで、前記第１接続延長部２３３Ｃ及び前記第２接続延長部２３５Ｃの耐久性をより向上させることができる。
【００７５】
図６は、本発明のさらに他の実施例によるバッテリーモジュールの一部を概略的に示す部分平面図である。
【００７６】
図６を参考すれば、さらに他の実施例によるバスバー２３０Ｄは、前記第１接続延長部２３３Ｄ及び前記第２接続延長部２３５Ｄの少なくとも一方が少なくとも１回以上水平方向へ曲がった曲線構造Ｓを含み得る。具体的に、前記第１接続延長部２３３Ｄ及び前記第２接続延長部２３５Ｄの各々は、少なくとも１回以上水平方向へ曲がった曲線構造Ｓを含み得る。
【００７７】
例えば、図６に示したように、前記第１接続延長部２３３Ｄ及び前記第２接続延長部２３５Ｄの各々は、電極端子（正極端子１１１）が位置する方向へ一回水平方向へ曲がった曲線構造Ｓを有し得る。
【００７８】
図５の前記第１接続延長部２３３Ｃ及び前記第２接続延長部２３５Ｃと同様に、図６の前記第１接続延長部２３３Ｄ及び前記第２接続延長部２３５Ｄは、一回以上曲がった曲線構造Ｓによって電流の経路を長く形成できる。
【００７９】
したがって、本発明のような構成によれば、本発明の少なくとも１回以上曲がった曲線構造Ｓを有する前記第１接続延長部２３３Ｄ及び前記第２接続延長部２３５Ｄを形成することで、接続開口の内側縁部から前記第１接続延長部２３３Ｄ及び前記第２接続延長部２３５Ｄの各々の端部までの長さをより延長することができるため、電流の経路をより長く設定することができる。
【００８０】
また、前記第１接続延長部２３３Ｄ及び前記第２接続延長部２３５Ｄの曲線構造Ｓの端部が、前記電極端子１１０と接合する場合、バッテリーモジュール２００に加えられる外部衝撃による振動によって前記第１接続延長部２３３Ｄ及び前記第２接続延長部２３５Ｄにクラックが発生するか、破断する危険性を減らすことができる。
【００８１】
これは、振動による応力や疲労が前記接続開口Ｈ１の縁部の前記第１接続延長部２３３Ｄ及び前記第２接続延長部２３５Ｄの連結部位に集中するよりは、一次的に前記第１接続延長部２３３Ｄ及び前記第２接続延長部２３５Ｄの曲線構造Ｓで吸収されることで、前記第１接続延長部２３３Ｄ及び前記第２接続延長部２３５Ｄの耐久性をより向上させることができる。
【００８２】
図７は、図３のバッテリーモジュールの線Ｃ−Ｃ´に沿って見た側面の一部を概略的に示す部分側断面図である。
【００８３】
図２と共に図７を参照すれば、本発明の前記第１接続延長部２３３及び前記第２接続延長部（図示せず）の少なくとも一方は、端部の下面が前記電極端子１１０に連結固定され得る。そして、前記第１接続延長部２３３及び前記第２接続延長部の少なくとも一方の端部の下面が、バッテリーモジュール２００の中心を基準にして外側方向へ凹み得る。さらに、前記第１接続延長部２３３及び前記第２接続延長部の少なくとも一方は、前記端部の下面が前記電極端子１１０の上に載置されるように凹んだ端子載置構造Ｅ１を形成し得る。
【００８４】
具体的に、前記第１接続延長部２３３及び前記第２接続延長部の両方には、前記電極端子１１０の外面と対応する形状に凹んだ端子載置構造Ｅ１が形成され得る。
【００８５】
例えば、図７に示したように、第１接続延長部２３３には、正極端子１１１の外面と対応する形状、即ち、平面視で曲線を有するように側壁Ｅ１ｓが形成され、上方へ凹んだ端子載置構造Ｅ１が形成され得る。これによって、第１接続延長部２３３は、正極端子１１１の上面及び側面に共に接するように位置させることができ、前記第１接続延長部２３３の端子載置構造Ｅ１が形成された内側端まで前記電極端子１１０を密着させることで、予め設定された正位置に第１接続延長部２３３を位置させることができる。
【００８６】
また、図７に示していないが、前記第２接続延長部には、前記第１接続延長部２３３と同様に端子載置構造Ｅ１が形成され得、前述した第１接続延長部２３３と同じ効果を奏し得る。
【００８７】
したがって、本発明のこのような構成によれば、前記第１接続延長部２３３及び前記第２接続延長部の少なくとも一つ以上に端子載置構造Ｅ１を形成させることで、前記第１接続延長部２３３及び前記第２接続延長部と電極端子１１０との電流の抵抗を減少させることができるだけでなく、前記第１接続延長部２３３及び前記第２接続延長部を前記電極端子１１０に容易に位置させることができるため、製造効率をより向上させることができる。
【００８８】
図８は、本発明の他の実施例によるバッテリーモジュールを切断した側面の一部を概略的に示す部分側断面図である。
【００８９】
図２と共に図８を参照すれば、本発明の前記第１接続延長部２３３Ｅ及び前記第２接続延長部（図示せず）の少なくとも一方は、前記電極端子１１０に接続した端部がバッテリーモジュール２００を基準にして外側方向（上方）へ折り曲げられて段差を有し得る。そして、前記第１接続延長部２３３Ｅ及び前記第２接続延長部の少なくとも一方には、前記電極端子１１０の上に載置されるように構成された段差構造Ｆ１が形成され得る。
【００９０】
具体的に、前記第１接続延長部２３３Ｅ及び前記第２接続延長部の両方は、前記電極端子１１０の外面と対応する形状で外側方向へ折り曲げられることによって段差構造Ｆ１が形成されることができる。
【００９１】
例えば、図８に示したように、バスバー２３０Ｅの第１接続延長部２３３Ｅには、正極端子１１１の外面と対応する形状、即ち、平面視で曲線を有するように内側壁が形成され、上方へ段差を有する段差構造Ｆ１が形成され得る。これによって、第１接続延長部２３３Ｅは、正極端子１１１の上面及び側面に共に接するように位置でき、前記第１接続延長部２３３Ｅの段差構造Ｆ１が形成された内側端まで正極端子１１１を密着させることで、予め設定された正位置に第１接続延長部２３３Ｅを位置させることができる。
【００９２】
また、図８に示していないが、第２接続延長部には、前記第１接続延長部２３３Ｅと同様に段差構造Ｆ１が形成され得、第１接続延長部２３３Ｅと同じ効果を有し得る。
【００９３】
したがって、本発明のこのような構成によれば、前記第１接続延長部２３３Ｅ及び前記第２接続延長部の少なくとも一方に端子載置構造Ｅ１を形成することで、前記第１接続延長部２３３Ｅ及び前記第２接続延長部と電極端子１１０との電流の抵抗を減少させることができるだけでなく、前記第１接続延長部２３３Ｅ及び前記第２接続延長部を、正極端子１１１の上に容易に位置させることができるため、製造効率をより向上させることができる。
【００９４】
図９は、本発明のさらに他の実施例によるバッテリーモジュールを切断した側面の一部を概略的に示す部分側断面図である。
【００９５】
図２と共に図９を参照すれば、バスバー２３０Ｆの前記第１接続延長部２３３及び前記第２接続延長部（図示せず）には、前記電極端子１１０が位置する方向へ突出した突起Ｇ１が形成され得る。
【００９６】
また、前記第１接続延長部２３３及び前記第２接続延長部の各々は、電流が流れるように設定された溶接棒３００が接続するように構成され得る。具体的に、前記第１接続延長部２３３及び前記第２接続延長部の各々の突起Ｇ１が形成された一面の反対面には、円筒状の溶接棒３００が電気的接続をなすように接触領域Ｐが設定され得る。
【００９７】
また、前記第１接続延長部２３３及び前記第２接続延長部に形成された突起Ｇ１は、平面視で環形であり得る。また、前記突起Ｇ１は、環形の中心に近いほど正極端子１１１が形成された方向へ突出した長さがより長く形成され得る。
【００９８】
そして、前記第１接続延長部２３３及び前記第２接続延長部には、前記溶接棒３００が電気的接続をなすように構成された接触領域Ｐが形成され得る。即ち、前記接触領域Ｐは、前記溶接棒３００が前記第１接続延長部２３３または前記第２接続延長部を加圧し接触する領域を意味する。
【００９９】
例えば、前記接触領域Ｐが前記環形の突起Ｇ１の上部の周辺部に沿って形成される場合、前記接触領域Ｐと接触する前記溶接棒３００の下面は、円形を有し得る。
【０１００】
さらに、前記溶接棒３００は、下面が扁平な円から構成された円柱形状であり得る。この際、前記突起Ｇ１の環形の最外郭の直径は、前記溶接棒３００の円柱形状の直径よりも小さくてもよい。
【０１０１】
したがって、本発明のこのような構成によれば、前記バスバー２３０Ｆは、円柱形態の溶接棒３００が接触して加圧できるよう、前記環形の突起Ｇ１の上部面の周辺部に環形の接触領域Ｐを設定することで、前記溶接棒３００の加圧力が均一に前記突起Ｇ１に伝達され、前記溶接棒３００から前記突起Ｇ１に一定な電流密度で電流を流すことができる。これによって、本発明のバスバー２３０は、より高い接合力と信頼度で第１接続延長部２３３及び第２接続延長部と前記電極端子１１１との溶接をなすことができる。
【０１０２】
さらに、前記第１接続延長部２３３及び前記第２接続延長部（図示せず）の各々の前記突起Ｇ１の上部には、溶接棒３００が挿入される挿入溝Ｈ２が形成され得る。
【０１０３】
また、前記挿入溝Ｈ２は、前記円柱形状の溶接棒３００の上下方向の下端部が挿入可能な大きさを有し得る。例えば、前記溶接棒３００の下端面が扁平な円柱形態を有する場合、前記挿入溝Ｈ２は、平面視で円形を有し得る。
【０１０４】
そして、前記挿入溝Ｈ２は、前記電極端子１１０が形成された方向へ所定の深さを有するように形成され得る。さらに、前記挿入溝Ｈ２の内面は、前記溶接棒３００の接触領域Ｐとして設定され得る。
【０１０５】
したがって、本発明のこのような構成によれば、前記第１接続延長部２３３及び前記第２接続延長部の各々の突起Ｇ１の上部に前記溶接棒３００の下端部が挿入される挿入溝Ｈ２を形成することで、前記溶接棒３００の接触領域Ｐの面積を増やすことができるだけでなく、前記挿入溝Ｈ２の内面に沿って前記溶接棒３００の位置をガイドすることができるため、抵抗溶接がより容易になる。そして、前記溶接棒３００の加圧時に発生し得る前記溶接棒３００の接触領域Ｐからの離脱を防止することができる。
【０１０６】
一方、前記バスバー２３０は、銅合金からなり得る。具体的に、前記銅合金は、前記バスバー２３０の全体重量の６０重量％以上の銅を含み得る。そして、前記銅合金は、亜鉛、クロム及びジルコニウムより選択された少なくとも一種以上を、銅の重量％を除いた残りの重量％で含み得る。しかし、前記バスバー２３０は銅合金のみに限定されることではなく、ニッケル、アルミニウム、金、銀などが主材料として構成された金属合金であれば、いずれも適用可能である。
【０１０７】
したがって、本発明によるバッテリーモジュール２００は、銅合金が備えられたバスバー２３０を使用する場合、ニッケル素材からなるバスバーと比べて高い伝導性を有し、電流損失を最小化して放熱性に優れており、素材コストを減らすことができるという利点がある。
【０１０８】
また、前記バスバー２３０の表面には、前記バスバー２３０よりも相対的に高い比抵抗の金属でめっき層を形成することができる。例えば、前記高い比抵抗の金属は、ニッケルであり得る。
【０１０９】
図１０は、本発明の一実施例によるバッテリーパックを概略的に示す斜視図である。そして、図１１は、本発明の一実施例によるバッテリーパックの一部構成を概略的に示す斜視図である。
【０１１０】
図２と共に図１０及び図１１を参照すれば、本発明によるバッテリーパック１０００は、前記バッテリーモジュール２００を少なくとも二つ以上含み得る。具体的に、前記少なくとも二つ以上のバッテリーモジュール２００、２０１、２０２、２０３は、一方向へ整列配置された構造であり得る。
【０１１１】
例えば、図１０に示したように、４個のバッテリーモジュール２００、２０１、２０２、２０３が前後方向へ整列配置され、４個のバッテリーモジュール２００、２０１、２０２、２０３は、第１バスバー２３０及び第２バスバー２４０によって相互電気的に直列接続し得る。また、前記第２バスバー２４０は、前述した図３に示した前記バッテリーモジュール２００の上部に位置したバスバー２３０の本体部２３１、接続開口Ｈ１、第１接続延長部２３３及び第２接続延長部２３５と類似または同じ構成を全て備え得る。
【０１１２】
具体的に、前記第１バスバー２３０は、前記円筒型電池セル１００の上端に形成された正極端子１１１と電気的に接続し得る。そして、前記第２バスバー２４０は、前記円筒型電池セル１００の下端に形成された負極端子１１２と電気的に接続し得る。
【０１１３】
さらに、前記第１バスバー２３０は、前記正極端子１１１と接触するように前記モジュールハウジング２１０の上部に載置され得る。そして、前記第２バスバー２４０は、前記負極端子１１２と接触するように前記モジュールハウジング２１０の下部に載置され得る。
【０１１４】
また、前記第１バスバー２３０は、Ｆ方向から見たときを基準にして、本体部２３１の前端部に前記第２バスバー２４０の一部が接触するように形成された載置部２３７が備えられ得る。即ち、前記載置部２３７は、前記第２バスバー２４０の一部の下面と接触するように上面が備えられ得る。
【０１１５】
また、前記第２バスバー２４０は、折曲部２４４と、前記折曲部２４４に接続した連結部２４５と、を備え得る。具体的に、前記折曲部２４４は、前記第２バスバー２４０の本体部２４１の後端部から上方へ垂直に折り曲げられて延びた構造を有し得る。
【０１１６】
さらに、前記連結部２４５は、前記折曲部２４４の上端から後方へ折り曲げられて延びた形態であり得る。また、前記連結部２４５は、前記第１バスバー２３０と電気的に接続するように前記第１バスバー２３０の載置部２３７の上面に載置されるように構成され得る。即ち、前記連結部２４５の下面は、前記第１バスバー２３０の載置部２３７の上面と接触するように構成され得る。
【０１１７】
また、前記バッテリーモジュール２０２には、バスバー２３０Ｇと電気的に接続する外部入出力端子２８０が形成され得る。さらに、前記バッテリーモジュール２０２の第３バスバー２３０Ｇには、図１１に示した第１バスバー２３０と異なり、前記外部入出力端子２８０と電気的に接続するように、下方へ折り曲げられた下向き折曲部Ｅが形成され得る。
【０１１８】
したがって、本発明のこのような構成によれば、前記下向き折曲部Ｅが形成された第３バスバー２３０Ｇは、外部入出力端子２８０と電気的に接続をなすことができ、組立工程時間を短縮させることができるという利点がある。
【０１１９】
また、図１０を参照すれば、本発明によるバッテリーパック１０００は、このようなバッテリーモジュール２００に加え、バッテリーモジュール２００の充放電を制御するための各種装置、例えば、ＢＭＳ（Ｂａｔｔｅｒｙ  Ｍａｎａｇｅｍｅｎｔ  Ｓｙｓｔｅｍ）、電流センサー、ヒューズなどをさらに含み得る。
【０１２０】
また、本発明によるバッテリーパック１０００は、エネルギー貯蔵デバイスに適用されるか、電気自動車やハイブリッド自動車のような自動車に適用可能である。即ち、本発明による自動車は、前記バッテリーパック１０００を含み得る。
【０１２１】
さらに、前記エネルギー貯蔵装置は、電力生産部で生産した電力を貯蔵し、電力網に供給するシステムであり得る。また、前記電力網は、商用電力網にしてもよく、小規模地域において自体電力網にしてもよい。さらに、場合によって、スマートグリッドで電力を貯蔵する電力貯蔵装置にすることができ、生産した電力を即時に消費する負荷または電力変換装置にすることも可能である。
【０１２２】
なお、本明細書において、上、下、左、右、前、後のような方向を示す用語が使用されたが、このような用語は相対的な位置を示し、説明の便宜のためのものであるだけで、対象となる事物の位置や観測者の位置などによって変わり得ることは、当業者にとって自明である。
【０１２３】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【０１２４】
本発明は、バスバーを備えたバッテリーモジュール及びバッテリーパックに関する。また、本発明は、前記バッテリーパックが備えられた電子デバイスまたは自動車関連産業に利用可能である。
【符号の説明】
【０１２５】
１００    円筒型電池セル
１１１、１１２    正極端子、負極端子
２００、２０１、２０２、２０３    バッテリーモジュール
２１０    モジュールハウジング
２３０、２４０    バスバー
２３１、２４１    本体部
２３３    第１接続延長部
２３５    第２接続延長部
３００    溶接棒
１０００    バッテリーパック
Ｂ１    凹み構造
Ｃ１    折曲構造
Ｅ１    端子載置構造
Ｆ１    段差構造
Ｇ１    突起
Ｈ１    接続開口
Ｈ２    挿入溝
Ｓ    曲線構造
【図１】
2021501457.tif 000003
【図２】
2021501457.tif 000004
【図３】
2021501457.tif 000005
【図４】
2021501457.tif 000006
【図５】
2021501457.tif 000007
【図６】
2021501457.tif 000008
【図７】
2021501457.tif 000009
【図８】
2021501457.tif 000010
【図９】
2021501457.tif 000011
【図１０】
2021501457.tif 000012
【図１１】
2021501457.tif 000013
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
水平方向に配置された複数の円筒型電池セルであって、前記円筒型電池セルの上部及び下部に各々電極端子が形成された、複数の円筒型電池セルと、
前記複数の円筒型電池セルを収容する収容部が備えられたモジュールハウジングと、
前記複数の円筒型電池セルの電極端子と接触して前記複数の円筒型電池セル同士を電気的に接続するように構成されたバスバーであって、前記バスバーは、前記複数の円筒型電池セルの上部および／または下部に位置するとともに、水平方向へ扁平なプレート形状を有する本体部であって、プレート形状体に上下方向へ穿孔された少なくとも一つ以上の接続開口が形成された本体部と、前記接続開口の内側縁部から相異なる水平方向へ突出して延び、端部が前記複数の円筒型電池セルのうちいずれか一つの電極端子と電気的に接続固定された第１接続延長部及び第２接続延長部と、を備えるバスバーと、
を含むことを特徴とするバッテリーモジュール。
【請求項２】
前記第１接続延長部及び前記第２接続延長部の少なくとも一方が、少なくとも１回以上水平方向へ折り曲げられた折曲構造を含むことを特徴とする請求項１に記載のバッテリーモジュール。
【請求項３】
前記第１接続延長部及び前記第２接続延長部の少なくとも一方が、少なくとも１回以上水平方向へ曲げられた曲線構造を含むことを特徴とする請求項１に記載のバッテリーモジュール。
【請求項４】
前記第１接続延長部及び前記第２接続延長部の少なくとも一方には、前記電極端子の連結固定された端部の下面がバッテリーモジュールの中心を基準にして外側方向へ凹み、凹んだ下面が前記電極端子の上に載置されるように構成された端子載置構造が形成されていることを特徴とする請求項１から３のいずれか一項に記載のバッテリーモジュール。
【請求項５】
前記第１接続延長部及び前記第２接続延長部の少なくとも一方には、前記電極端子に接続した端部がバッテリーモジュールを基準にして外側方向へ折り曲げられて段差を有し、前記電極端子の上に載置されるように構成された段差構造が形成されていることを特徴とする請求項１から４のいずれか一項に記載のバッテリーモジュール。
【請求項６】
前記第１接続延長部及び前記第２接続延長部の少なくとも一つ以上には、前記接続開口の縁部と接続した部位の幅が細くなるように湾入した凹み構造が形成されていることを特徴とする請求項１から５のいずれか一項に記載のバッテリーモジュール。
【請求項７】
前記第１接続延長部及び前記第２接続延長部には、前記電極端子が位置する方向へ突出した突起が形成され、
前記第１接続延長部及び前記第２接続延長部の前記突起の上部には、溶接棒が挿入される挿入溝が形成されていることを特徴とする請求項１から６のいずれか一項に記載のバッテリーモジュール。
【請求項８】
前記バスバーは、銅または銅合金を含むことを特徴とする請求項１から７のいずれか一項に記載のバッテリーモジュール。
【請求項９】
請求項１から８のいずれか一項に記載のバッテリーモジュールを少なくとも二つ以上含む、バッテリーパック。
【請求項１０】
請求項９に記載のバッテリーパックを含む、デバイス。
【国際調査報告】
2021501457.tif 000014
2021501457.tif 000015
2021501457.tif 000016
2021501457.tif 000017